(57)【特許請求の範囲】
【請求項１】
柔軟性を有するシートで細長く形成され、毛束をその外側から束ね止めするための前記シートで構成される束ね部を有すると共に、その束ね部の両端から一体に延びる前記シートで構成される延長部を有し、それらの延長部を構成するシートにはそれぞれ磁石が挟まれており、磁石は、内側の第一のシートと外側の第二のシートとの間に配置され、第二のシートの外側に第三のシートが重ねられ、第一のシートと第二のシートとの間に磁石を挟んだ状態で各シートの外縁部が溶着され、第一のシートが磁石の厚みによって膨出することにより、各磁石の周囲に第一のシートによる傾斜面が形成されていることを特徴とする編み具。
【請求項２】
前記両延長部は同じ長さではなく、磁石の吸引力により両延長部を結合して折り畳んだときに、長い方の延長部の端部は、短い方の延長部の端部よりも延長方向に突出する請求項１記載の編み具。
【発明の詳細な説明】
【技術分野】
【０００１】
本発明は、主に女性が髪を編むための編み具に関する。
【背景技術】
【０００２】
髪を三つ編みなどに編むための編み具は、特許文献１に記載されているように既に提案されている。特許文献１に記載された編み具は、２枚のプラスチック板を重ねて中央部で、縦方向を軸として前後に開閉自在に連結して２重のバタフライ状に形成すると共に、重ねた２枚のプラスチック板の両端を着脱自在の嵌合構造とし、２枚のプラスチック板の片側を開いて、ここに髪の束を挟持してから前記嵌合構造で固定する構成である。そして、実際に使用するときは、ヒンジ部の両側のＶ形に開いた部分に毛束を１束ずつ挿入してから嵌合構造でプラスチック板の両端を固定し、毛束を挟持して髪を編むものである。
【０００３】
特許文献１の編み具の第一の実施例では、ヒンジ部をクリップで形成した場合について示しており、第二の実施例としてプラスチック板の中央上部を接合してここをヒンジ部とする構造について示している。第一の実施例の場合では、毛束を挟持するのはクリップであり、クリップの挟持片はほとんど変形しないから、挟持された毛束は扁平に近い形状に挟持される。したがって、扁平に近い形状の毛束を編んだときは後で毛束がほぼ円形に変化するから、しっかりした編みとならないのである。また、クリップを用いない前記第二の実施例の場合、２枚のプラスチック板を接合してヒンジとし、嵌合している凹部と凸部を外すと２枚のプラスチック板がＶ字形に開く構成である。したがって、この場合も２枚のプラスチック板で挟持された毛束は、ヒンジ部が面接触で結合されていることと相俟って扁平に近い形状で挟持され、第一の実施例と同様にしっかりした編みとならないのである。また、編み具の毛束からの自然落下を防止するためにプラスチック板で比較的大きな圧力をかけて毛束を挟持する必要があり、プラスチック板が毛束上を移動することにより髪を傷めるのである。
【先行技術文献】
【特許文献】
【０００４】
【特許文献１】特開２００５−２７９０８９号公報
【発明の概要】
【発明が解決しようとする課題】
【０００５】
本発明は、髪を編むときに、しっかりした編みとすることができる編み具を提供しようとするものである。
【課題を解決するための手段】
【０００６】
請求項１発明は、柔軟性を有するシートで細長く形成され、毛束をその外側から束ね止めするための前記シートで構成される束ね部を有すると共に、その束ね部の両端から一体に延びる前記シートで構成される延長部を有し、それらの延長部を構成するシートにはそれぞれ磁石が挟まれており、磁石は、内側の第一のシートと外側の第二のシートとの間に配置され、第二のシートの外側に第三のシートが重ねられ、第一のシートと第二のシートとの間に磁石を挟んだ状態で各シートの外縁部が溶着され、第一のシートが磁石の厚みによって膨出することにより、各磁石の周囲に第一のシートによる傾斜面が形成されている構成である。
【０００７】
請求項２記載の発明は、前記両延長部が同じ長さではなく、磁石の吸引力により両延長部を結合して折り畳んだときに、長い方の延長部の端部は、短い方の延長部の端部よりも延長方向に突出する構成である。
【発明の効果】
【０００８】
本発明は、束ね部が柔軟性を有する材料で形成されており、円形にまとめられている毛束にそって束ね部が変形するので、毛束があとから変形することもなくしっかりした編みとすることができる。また、従来は、編み具の毛束からの自然落下を防止するためにプラスチック板で比較的大きな圧力をかけて毛束を挟持し、プラスチック板と毛束との間に自然落下を防止し得る摩擦力を生じさせなければならなかった。このように、比較的大きな圧力で髪を挟持した状態で編み具を移動させると、プラスチック板で髪を傷める虞があるのである。これに対して、本発明は、柔軟性のある材料で包むように毛束をまとめるので、髪を優しく包むことができて髪を傷める虞もない。さらに、束ね部が柔軟性を有する材料で形成されていることから、毛束や手の状態に合わせて変形可能で馴染みやすく、毛束の量の多少に対しても対応しやすいなどの効果を奏する。
【０００９】
また、一方の延長部と他方の延長部が磁力の吸引力により容易に分離可能に結合されるものである。したがって、延長部同士の結合作業を楽に行うことができる。また、両延長部は磁力の吸引力により所定の結合面で自然に吸着するので、結合位置を正確に合わせなくても、束ね部を閉じて結合する作業を容易に行うことができる。さらに、毛束の髪の量の多少にかかわらず束ね部を閉じ易く、頭の後ろ側などの見えない所でも束ね部を容易に閉じることができる。また、磁力によって、各編み具同士を吸着することができる。これにより、例えば３つの編み具を使用して三つ編をするときに、移動させようとする１つの編み具以外の他の２つの編み具同士を吸着させておくことにより、途中まで編んだ毛束同士がほどけてしまうことがない。
【図面の簡単な説明】
【００１０】
【図１】図１は本発明の斜視図である。
【図２】図２は束ね部を閉じた状態の正面図である。
【図３】図３は本発明を開いた状態の内面図である。
【図４】図４は本発明を開いた状態の外面図である。
【図５】図５は磁石付近の断面の状態を示す図である。
【図６】図６は本発明の使用状態図である。
【図７】図７は本発明の使用状態図である。
【発明を実施するための形態】
【００１１】
次に本発明の実施例について説明する。編み具１は柔軟性を有するシートで細長く形成され、毛束を束ねるための束ね部２と、その両端から一体に延びる延長部３，４とを有する。延長部３，４には円板状の磁石５，６が配置されている。延長部３，４は同じ長さではなく、延長部３は延長部４よりも長く形成されている。束ね部２及び延長部３，４は、図５に示すように、第一のシート７と、第二のシート８と、第三のシート９と、化粧シート１０とのそれぞれ柔軟性を有する４枚の薄いシートから形成されている。また、各シート７，８，９，１０は容易に変形できる薄さに形成されている。磁石５は第一のシート７と第二のシート８との間に配置され、第二のシート８の外側に第三のシート９が重ねられ、さらにその外側に化粧シート１０が重ねられている。第一、第二及び第三のシート７，８，９は厚みが約０．３ｍｍの同じポリエチレンシートで形成されている。化粧シート１０は厚みが約０．２ｍｍのポリエチレンシートで形成されている。第一のシート７と第二のシート８との間に磁石５，６を挟んだ状態ですべてのシートの外縁部１１が溶着されている。なお、シートがこれらの材料及びサイズに限定されないことは勿論である。第二のシート８の外側に第三のシート９を重ねたのは、編み具１に適度な腰の強さを与えるためである。このようにして、磁石５，６よりも内側には第一のシート７のみが存在し、外側には第二のシート８と第三のシート９と化粧シート１０とが三重に重ね合わされている。外側の３枚のシートは、三重に重ね合わせたことの効果により内側の一枚の第一のシート７よりもいくらか腰が強い。このために、磁石５，６を第一のシート７と第二のシート８の間に挟んだときに、磁石の厚みによる押圧力が同じであっても１枚だけの第一のシート７の方が変形し易いので、第一のシート７の磁石５，６による膨出度は化粧シート１０の膨出度よりも大きくなる。また、第一のシート７の膨出は、磁石５，６の周囲近辺の限られた一部のみが立ち上がるような膨出であり、このような膨出をさせることができるのは、シートが柔軟性を有する材料で形成されているからである。なお、第一のシート７が磁石５，６の厚みによって大きく膨出することの効果については後述する。また、図３に示すように磁石５の周囲に４つのポイント溶着部１２が形成され、磁石６に近接した位置に２つのポイント溶着部１３が形成されている。これらのポイント溶着部１２，１３は磁石５，６の移動防止のために溶着加工がなされたものである。なお、ポイント溶着部１２，１３を形成しなくても、第一のシート７の膨出部分の傾斜面２６，２７の角度が大きいので、この傾斜面２６，２７が磁石５，６の移動を防止することができる。製造工程において、すべてのシートの外縁部１１が溶着された直後にその外縁１１に沿って打ち抜くことにより編み具１が製造される。打ち抜いたあとに、化粧シート１０が外側になるように編み具１を折り畳み磁石の磁力で延長部３，４を結合する。打ち抜いた直後の編み具１は平らであるが、折り畳んで結合することにより時間の経過と共に編み具１にやや曲がり癖が付いて、編み具１を、図１に示すように延長部３，４を離して化粧台などの上に置いたときに、化粧台との間に生じる摩擦力とも相俟って一定の角度で曲がった状態を維持することができる。しかし、図３に示すように、編み具１を平らに開くことは可能で、そのときの編み具１の全長は約１０５ｍｍで、幅は約２３ｍｍである。但し、本発明はこれらの数値に限定されるものではない。
【００１２】
図４に示すように、化粧シート１０の半分は多数の小さな凹状の星形模様１４が形成された凹凸面２３に形成され、残りの半分は模様のない平滑面２４に形成されている。この星形模様１４は化粧シート１０と第三のシート９を重ね合わせてプレスにより形成したものである。多数の凹状の星形模様１４をプレスで形成することにより、化粧シート１０と第三のシート９は結合状態となり１枚のシートのように取り扱われる。編み具１を折り畳んだ場合は、星形模様１４を有する凹凸面２３は折り畳まれている編み具１の一方の表面にのみ存在し、他方の表面は平滑面２４となる。そして、どの編み具も凹凸面２３側の磁場の極性が同じになるように磁石を配置してあるので、どの編み具も平滑面２４側の磁場の極性は凹凸面２３側の極性と異なる極性である。したがって、２つの編み具１，１を磁石の吸引力により結合しようとするときは、一方の編み具１の凹凸面２３と他方の編み具の平滑面２４とを合せれば、吸引力により自然に吸着する。凹凸面２３同士又は平滑面２４同士を向き合わせると磁力が反発し合うので吸着できないが、合わせようとする面である凹凸面２３と平滑面２４は容易に目視できるから容易に合わせて結合することができる。また、目視できない場合は、凹凸面２３が触覚により平滑面２４と区別できるので、指先で編み具１の表面に触れながら容易に合わせて結合することができる。なお、星形模様１４に代わる識別要素として、星形以外の模様を形成してもよく、それらの模様を凸条としてもよい。
【００１３】
図１又は図２に示すように、束ね部２の最も内側の第一のシート７に滑り止め部１５がほぼ全長に亘って両面テープで貼着されている。滑り止め部１５は束ね部２のシートよりも柔軟性を有する軟質ポリウレタンフォームからなるスポンジシートで形成されている。この滑り止め部１５の厚さは約４ｍｍであるが、スポンジであることから気泡を有しており、上から圧縮すると０．５ｍｍ以下の厚さに容易に変形する。したがって、毛束を束ね部２で束ねたときに、滑り止め部１５は薄く変形して髪を軽く押圧する。これにより、毛束が多少太くなっても、その太くなった分は滑り止め部１５が薄く変形して吸収し髪を軽く押圧するだけであるから、編み具１を毛束に沿って移動させるときに痛みを感じることがないのである。なお、滑り止め部１５の材料がポリウレタンフォームに限定されないことは勿論である。例えば、ポリウレタンフォーム以外の発泡樹脂を用いてもよい。他の材料として、エラストマー樹脂やシリコーン樹脂を用いてもよい。その場合、毛束が触れる面を平坦にしてもよいし、表面に多数の細かい突起を設けて滑り止め効果をより発揮するようにしてもよい。
【００１４】
編み具１は、磁石５，６の磁力の吸引力により延長部３，４の磁石が配置されている面が結合されて折り畳まれる。図２から明らかなように、編み具１はその中央で折り畳まれるのではなく、束ね部２の中央で折り畳まれる。延長部３に取り付けられている磁石５と延長部４に取り付けられている磁石６は同一の磁石であり、共に束ね部２に隣接して配置されている。したがって、磁石５，６が磁力により吸着すると、長い方の延長部３の端部１６は短い方の延長部４の端部１７よりも延長方向に突出する。
【００１５】
前述したように、磁石５，６の厚みによる第一のシート７の膨出度は化粧シート１０の膨出度よりも大きくなり、第一のシート７が磁石５，６の厚みによって大きく膨出している。これにより、延長部３の端部１６と延長部４の端部１７の間に隙間２５が生じ、その隙間２５の垂直方向の幅は磁石１つの厚みよりも大きくなる。また、第一のシート７が磁石５，６の厚みによって大きく膨出することにより、磁石５，６の周囲に第一のシート７による傾斜面２６，２７が形成される。したがって、編み具１が磁石の吸引力で閉じた状態にあるときに、傾斜面２６，２７はＶ字形をなすので、隙間２５はＶ字形の溝状をなしている。
【００１６】
編み具１で毛束を束ね止めるときに、磁力で閉じている編み具１を延長部３，４の端部１６，１７から毛束に向かって押し付けると、傾斜面２６，２７が髪の毛の案内面となるので、その隙間２５に髪の毛を挿入させ易いのである。そして、編み具１をさらに押し進めると、傾斜面２６，２７が延長部３，４の案内面となって延長部３，４が離れるように作用するのである。したがって、延長部３，４は自然に離れて毛束を重ねられている束ね部２の間に挿入することができる。さらに、延長部３の端部１６は延長部４の端部１７よりも延長方向に突出している。したがって、端部１６を毛束に押し付けるとその端部１６の傾斜面２６が最初の案内面として作用し、編み具１を延長部３，４の端部１６，１７から毛束に向かって押し付けたときに、毛束からの最初の抵抗を小さくすることができ、毛束を円滑に束ね部２の間に挿入することができる。すなわち、毛束を束ね止めするときにあらかじめ編み具１を開かなくても使用することができる。また、予め編み具１を手で開いてから使用してもよいことは勿論である。その場合、長い方の延長部３の端部１６は短い方の延長部４の端部１７よりも延長方向に突出してずれているので、編み具１を開かせ易いのである。毛束を束ね部２に挿入した後は磁力によって延長部３，４が自然に結合される。
【００１７】
さらに、磁石５，６の厚みによる第一のシート７の膨出度が化粧シート１０の膨出度よりも大きく、第一のシート７が磁石５，６の厚みによって膨出していることにより、折り畳まれた束ね部２の磁石５，６に隣接する部分の隙間も大きくなる。これにより、延長部３，４が結合しても磁石５，６に隣接する滑り止め部１５が束ね部２によって大きく押しつぶされないので薄く変形する余裕があり、その部分に挟まれている髪は軽く押圧されるだけであって、編み具１を毛束に沿って移動させるときに痛みを感じることがない。
【００１８】
次に、本発明を使用して髪を三つ編にする方法について説明する。三つ編にするときは３個の編み具を用意する。３個の編み具は識別機能を有していることが好ましい。例えば、化粧シート１０の色彩を異なるものとしてもよい。また、長い方の延長部３の端部１６に１つの喰い込み部１８を形成し、他の編み具は端部に２つの食い込み部を有するものと、喰い込み部がなく端部全体がＵ字形をなすものを用意してもよい。また、両方の識別機能を併せ持つようにしてもよい。さらには、数字や記号などの表示を用いてもよいし、視覚以外で認識できる識別機能、例えば凹状の星形模様１４のように触覚で識別できる手段を用い、各編み具１に異なる構成の触覚識別手段を設けることにより識別できるようにしてもよい。三つ編をするときは、まず、図６に示すように毛束を均等に３束に分け、３個の編み具１９，１，２０を同じ向きにして各毛束をその毛先よりも上方の位置で束ね止める。図６では、編み具１の端部１６，１７が左側を向いており、平滑面２４が頭と逆の方向を向いているが、他の編み具１９，２０も同じ方向に向いている。次に、図７に示すように各編み具１９，１，２０を磁石の吸引力により重ねる。そして、最も頭皮に近い内側の編み具２０を右側から最も外側の編み具１９の上に重ね、次いで、最も頭皮に近い内側の編み具１を左側から最も外側の編み具２０の上に重ね、編み具１，１９，２０を下方に移動させながらこの作業を繰り返すことにより三つ編が完成する。三つ編が完成したら、毛先にある各編み具１，１９，２０を引っ張って髪から外す。外した複数の編み具は、磁石で吸着した状態でまとめて保管できるので次の使用に便利である。なお、最初に編み具１，１９，２０で毛束を束ね止める位置は、毛先であっても差し支えない。その場合、編み具を移動させずに作業する。３つの編み具を重ねるときに、端部がＵ字形をなす編み具１９を最も外側とし、端部１６に１つの喰い込み部１８を有する編み具１をその内側に重ね、端部２１に２つの喰い込み部２２，２２を有する編み具２０を最も内側に重ねると、編み具の位置を触覚で確認できるので編み方を間違える虞がない。
【産業上の利用可能性】
【００１９】
本発明は、束ね部を柔軟性を有する材料で形成することによって、髪を編むときに、しっかりした編みとすることができる編み具を提供することができる。
【符号の説明】
【００２０】
１  編み具、    ２  束ね部、    ３  延長部、    ４  延長部、    ５  磁石、    ６  磁石、    ７  第一のシート、    ８  第二のシート、    ９  第三のシート、    １０  化粧シート、    １１  外縁部、    １２  ポイント溶着部、    １３  ポイント溶着部、    １４  星形模様、    １５  滑り止め部、    １６  長い方の延長部の端部、    １７  短い方の延長部の端部、    １８  喰い込み部、    １９  編み具、    ２０  編み具、    ２１  端部、    ２２  喰い込み部、    ２３  凹凸面、    ２４  平滑面、    ２５  隙間、    ２６  傾斜面、    ２７  傾斜面
【図１】
0005988610.tif 000002
【図２】
0005988610.tif 000003
【図３】
0005988610.tif 000004
【図４】
0005988610.tif 000005
【図５】
0005988610.tif 000006
【図６】
0005988610.tif 000007
【図７】
0005988610.tif 000008